【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
１つ以上のプロセッサにより実行されるとき、整形外科用の固定の画像解析の方法を実行するコンピュータ可読命令を有する１つ以上の非一時的なコンピュータ可読の記憶媒体であって、
前記方法は、１つ以上の撮像装置を介して、固定装置および前記固定装置に取り付けられた第１および第２の骨部分の第１および第２の２次元画像をキャプチャするステップを含み、前記第１の画像は第１の方位からキャプチャされ、前記第２の画像は前記第１の方位と異なる第２の方位からキャプチャされ、
前記方法は、前記第１および第２の２次元画像内の複数の固定器要素の識別されたそれぞれの位置と、３次元空間内の前記複数の固定器要素の対応する位置と、の比較に基づいて、複数のイメージング・シーン・パラメータを得るステップを含み、
前記複数のイメージング・シーン・パラメータを得る前記ステップは、
前記第１および第２の２次元画像内の前記複数の固定器要素の前記それぞれの位置を識別するステップと、
前記複数の固定器要素の前記識別されたそれぞれの位置を用いて、前記第１および第２の２次元画像にそれぞれ対応する第１および第２の変換行列を構成するステップと、
前記変換行列を前記複数のイメージング・シーン・パラメータに分解するステップと、
を含み、
前記方法は、前記複数のイメージング・シーン・パラメータに基づき、前記固定装置に対する前記第１および第２の骨部分の３次元表示を再構築するステップを含む、
ことを特徴とする１つ以上の非一時的なコンピュータ可読の記憶媒体。
【請求項２】
前記第１および第２の方位は互いに直交していない、
請求項１に記載の１つ以上の非一時的なコンピュータ可読の記憶媒体。
【請求項３】
前記方法は、前記第１および第２の２次元画像内の複数の骨要素のそれぞれの位置を識別するステップをさらに含み、
前記骨要素は、前記第１および第２の骨部分の身体構造上の特徴を具える、
請求項１に記載の１つ以上の非一時的なコンピュータ可読の記憶媒体。
【請求項４】
前記３次元表示は、前記複数の骨要素の前記それぞれの位置に基づいて、さらに再構築される、
請求項３に記載の１つ以上の非一時的なコンピュータ可読の記憶媒体。
【請求項５】
前記複数の固定器要素は、前記固定装置のコンポーネントを具える、
請求項１に記載の１つ以上の非一時的なコンピュータ可読の記憶媒体。
【請求項６】
前記複数の固定器要素は、前記固定装置のコンポーネントに取り付けられた標識要素、または、前記固定装置のコンポーネント内に埋め込まれた標識要素を具える、
請求項１に記載の１つ以上の非一時的なコンピュータ可読の記憶媒体。
【請求項７】
前記方法は、前記固定装置のための形状変化を算出するステップをさらに含み、
前記形状変化は、前記第１および第２の骨部分の互いに対する再位置決めを表し、
前記形状変化は、前記第１および第２の骨部分を互いに対して再位置決めするために実現される、
請求項１に記載の１つ以上の非一時的なコンピュータ可読の記憶媒体。
【請求項８】
整形外科用の固定の画像解析の方法であって、
前記方法は、１つ以上の撮像装置を介して、固定装置および前記固定装置に取り付けられた第１および第２の骨部分の第１および第２の２次元画像をキャプチャするステップを含み、前記第１の画像は第１の方位からキャプチャされ、前記第２の画像は前記第１の方位と異なる第２の方位からキャプチャされ、
前記方法は、前記第１および第２の２次元画像内の複数の固定器要素の識別されたそれぞれの位置と、３次元空間内の前記複数の固定器要素の対応する位置と、の比較に基づいて、複数のイメージング・シーン・パラメータを得るステップを含み、
前記複数のイメージング・シーン・パラメータを得る前記ステップは、
前記第１および第２の２次元画像内の前記複数の固定器要素の前記それぞれの位置を識別するステップと、
前記複数の固定器要素の前記識別されたそれぞれの位置を用いて、前記第１および第２の２次元画像にそれぞれ対応する第１および第２の変換行列を構成するステップと、
前記変換行列を前記複数のイメージング・シーン・パラメータに分解するステップと、
を含み、
前記方法は、前記複数のイメージング・シーン・パラメータに基づき、前記固定装置に対する前記第１および第２の骨部分の３次元表示を再構築するステップを含む、
ことを特徴とする方法。
【請求項９】
前記第１および第２の方位は互いに直交していない、
請求項８に記載の方法。
【請求項１０】
前記方法は、前記第１および第２の２次元画像内の複数の骨要素のそれぞれの位置を識別するステップをさらに含み、
前記骨要素は、前記第１および第２の骨部分の身体構造上の特徴を具える、
請求項８に記載の方法。
【請求項１１】
前記３次元表示は、前記複数の骨要素の前記それぞれの位置に基づいて、さらに再構築される、
請求項１０に記載の方法。
【請求項１２】
前記複数の固定器要素は、前記固定装置のコンポーネントを具える、
請求項８に記載の方法。
【請求項１３】
前記複数の固定器要素は、前記固定装置のコンポーネントに取り付けられた標識要素、または、前記固定装置のコンポーネント内に埋め込まれた標識要素を具える、
請求項８に記載の方法。
【請求項１４】
前記方法は、前記固定装置のための形状変化を算出するステップをさらに含み、
前記形状変化は、前記第１および第２の骨部分の互いに対する再位置決めを表し、
前記形状変化は、前記第１および第２の骨部分を互いに対して再位置決めするために実現される、
請求項８に記載の方法。
【請求項１５】
１つ以上のプロセッサにより実行されるとき、整形外科用の固定の画像解析の方法を実行するコンピュータ可読命令を有する１つ以上の非一時的なコンピュータ可読の記憶媒体であって、
前記方法は、固定装置および前記固定装置に取り付けられた第１および第２の骨部分の第１および第２の２次元画像を取得するステップを含み、前記第１の画像は第１の方位からキャプチャされ、前記第２の画像は前記第１の方位と異なる第２の方位からキャプチャされ、
前記方法は、前記第１および第２の２次元画像内の複数の固定器要素の識別されたそれぞれの位置と、３次元空間内の前記複数の固定器要素の対応する位置と、の比較に基づいて、複数のイメージング・シーン・パラメータを得るステップを含み、
前記複数のイメージング・シーン・パラメータを得る前記ステップは、
前記第１および第２の２次元画像内の前記複数の固定器要素の前記それぞれの位置を識別するステップと、
前記複数の固定器要素の前記識別されたそれぞれの位置を用いて、前記第１および第２の２次元画像にそれぞれ対応する第１および第２の変換行列を構成するステップと、
前記変換行列を前記複数のイメージング・シーン・パラメータに分解するステップと、
を含み、
前記方法は、前記複数のイメージング・シーン・パラメータに基づき、前記固定装置に対する前記第１および第２の骨部分の３次元表示を再構築するステップを含む、
ことを特徴とする１つ以上の非一時的なコンピュータ可読の記憶媒体。
【請求項１６】
前記第１および第２の方位は互いに直交していない、
請求項１５に記載の１つ以上の非一時的なコンピュータ可読の記憶媒体。
【請求項１７】
前記方法は、前記第１および第２の２次元画像内の複数の骨要素のそれぞれの位置を識別するステップをさらに含み、
前記骨要素は、前記第１および第２の骨部分の身体構造上の特徴を具え、
前記３次元表示は、前記複数の骨要素の前記それぞれの位置に基づいて、さらに再構築される、
請求項１５に記載の１つ以上の非一時的なコンピュータ可読の記憶媒体。
【請求項１８】
前記複数の固定器要素は、前記固定装置のコンポーネントを具える、
請求項１５に記載の１つ以上の非一時的なコンピュータ可読の記憶媒体。
【請求項１９】
前記複数の固定器要素は、前記固定装置のコンポーネントに取り付けられた標識要素、または、前記固定装置のコンポーネント内に埋め込まれた標識要素を具える、
請求項１５に記載の１つ以上の非一時的なコンピュータ可読の記憶媒体。
【請求項２０】
前記方法は、前記固定装置のための形状変化を算出するステップをさらに含み、
前記形状変化は、前記第１および第２の骨部分の互いに対する再位置決めを表し、
前記形状変化は、前記第１および第２の骨部分を互いに対して再位置決めするために実現される、
請求項１５に記載の１つ以上の非一時的なコンピュータ可読の記憶媒体。